【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
建造物の屋上、屋根等に形成される植栽装置であって、下地に設けられる防水層と、植物根の防水層への侵出を防止するために前記防水層上に形成される防根層と、この防根層の上に形成される保水・保護シートと、保水・保護シート上に設置され保持した水分を植物の根部に供給するとともに積層される土壌を把持するための給・排水基盤と、この給・排水基盤の下地へ固定をなすとともに土壌層の土壌の揺動防止、防風ネット等の係止、植物の根張り促進等のために防根層に固定される多機能突起体とを具えてなり、保水・保護シートと多機能突起体との係合は保水・保護シートに形成したスリットを介してなされ、給・排水基盤と保水・保護シートとの係合は給・排水基盤の底面に形成した孔部に通した多機能突起体を介してなされるようにしたことを特徴とする植栽装置。
【請求項２】
請求項１記載の植栽装置において、前記給・排水基盤は保水部と排水部とを有し、前記排水部は、縦横に交叉連通して形成される通直管により構成され、前記保水部は各通直管により囲繞されて形成される凹部空間により構成したことを特徴とする植栽装置。
【請求項３】
請求項２記載の植栽装置において、客土層に大気を循環させるための通気機構を設け、この通気機構を前記多機能突起体の頂部に形成した透孔と、排水部に形成した貫通小孔とで構成し、大気が前記中空体、前記排水部客土層を介して循環可能にしたことを特徴とする植栽装置。
【請求項４】
請求項１ないし３いずれか記載の植栽装置において、多機能突起体は上底面を有し下底面は開口する中空体により構成するとともに、前記中空体は基部とこれに着脱可能な頂部を具えて、前記頂部の着脱により中空体の高さ調整を自在になし得るようにしことを特徴とする植栽装置。
【請求項５】
請求項１ないし４いずれか記載の植栽装置において、保水・保護シートに形成したスリット位置に対応するように多機能突起体を防根層上に設置するようにしたことを特徴とする植栽装置。
【請求項６】
請求項５記載の植栽装置において、保水・保護シートに形成するスリットは所定点を中心に放射状に形成したことを特徴とする植栽装置。
【請求項７】
請求項１ないし６いずれか記載の植栽において、給・排水基盤の底面に形成した孔部は円形、楕円形、四角形、三角形のいずれかで形成し、保水・保護シートは天然繊維、合成繊維の織布、不織布、編布又は高分子吸収材、アスファルトルーフィングのうちの１種又は数種で形成したことを特徴とする植栽装置。
【請求項８】
次の工程からなる植栽装置の構築方法。
(イ)  建造物の屋上、屋根等の下地の防水層又はその上に形成される防根層の上に土壌層が積層される給・排水基盤の下地への固定をなすとともに土壌層の土壌の揺動防止、防風ネット等の係止、植物の根張り促進等のための多機能突起体を固定する工程、
(ロ)  保水・保護シートにスリットを形成し、このスリットを介して前記多機能突起体に保水・保護シートを被着して防水層又はその上に形成される防根層の上に保水・保護シートを接合する工程、
(ハ)  底部に形成した孔部を介して給・排水基盤を多機能突起体に被着するとともに保水・保護シートを介して下地の防水層又はその上に形成される防根層の上に設置する工程、
(ニ)  次いで、給・排水基盤の上に植物を植生する土壌層を形成する工程。
【手続補正２】
【補正対象書類名】明細書
【補正対象項目名】全文
【補正方法】変更
【補正の内容】
【発明の詳細な説明】
【発明の名称】植栽装置とその構築方法
【技術分野】
【０００１】
この発明は、屋上その他の緑化装置としての植栽装置とその構築方法に関するものである。
【背景技術】
【０００２】
近年、建造物の屋上やその他の空間に大規模に植物を植栽し、都市部における無機的な空間の緑化を図る試みが盛んになされるようになっている。
このような時、多くの場合は、建造物等のスラブ面の防水層上に押えのコンクリート層を形成し、この上に、植栽層として、砂、砂利等からなる砂利層と、客土層を順次積層して植物を植栽するようにしている。
【０００３】
しかしながら、植物にとって十分な保水性、排水性を得るためには、防水層にかなりの土砂を導入する必要があり、しかもコンクリート層はかなりの重量を有するため、これらの重量が建造物に悪影響を及ぼすという問題がある。そこで、本出願人は、先に保水性、排水性に優れた軽量の植栽装置を開示している（例えば特許２５３１５４２号公報参照）。
【０００４】
この植栽装置は、建造物の屋上等に形成されているスラブ面に防水層を固定するとともに、この防水層の上面に、不織布等を有する保水材と、凹部及び凸部２を有するドレイン板等とからなる保水給排水手段を設け、さらにこの保水給排水手段の上方に砂利層および客土層からなる植栽層を積層したものとなっており、前記保水給排水手段等によって適正な保水性、排水性を得られるものとなっている。
このため、排水を考慮して設けられていたコンクリート層が不要となり、保水性の向上によって植栽層も草木の根毛の長さなどを考慮した必要最小限の厚さ、例えば５０ｍｍ程度に設定することが可能となっている。
【０００５】
このように、の植栽装置の進化により装置全体が軽量化され、建造物に対する悪影響を回避し得るという優れた効果が得られるようになったが、未だ解決すべき幾つかの課題を包含している。
すなわち、まず風に対する対策である。  この種の緑化装置は、建造物の屋上等、高所に設けられることが多いが、このような高所では常に方向不規則な風が発生しており、このため客土層の土壌やここに植生される苗等は容易に飛散する恐れが常にあり、その効果的な対策は非常に難しい。
【０００６】
例えば、客土層は建造物等に対する荷重の点から出来うる限り薄く構築することが望ましいが、これ
をあまり薄くすると植栽した植物の根が張らず、僅かの風にも倒壊してしまう。このことは、特に植木を植栽した場合には顕著であって、ある程度の高さに成育する植木に場合には、無風時でさえ正立させることが困難である。
【０００７】
そこで、植栽装置の上面をネットで覆う風対策が従来から汎用されている。この防風ネットは植栽装置に係止されることになるが、従来は下地上等の上になんらかの固定手段を設置し客土層の上端に突出した固定手段の上端に防風ネットを係止するようにすることが多い。
【０００８】
一方、前記ドレイン板等を使わずに防水層を有する下地上に直接客土層（植栽層）を形成して植物を植生させる植栽構造も多く採用されている。  この植栽構造では、下地の防水層を保護するために防根層を形成しさらにこの防根層と客土層との間に緩衝材として不織布等による保護層が形成される。
そして、防根層上に固着された複数の固定手段は保護層上に突出して客土層中に散在する状態となっている。  このようにして、固定手段の上端は客土層の上方に臨んで、その上端には例えば防風ネットが係止され、また、固定手段が客土層中に散在することにより客土層の土壌の動揺を防止して風による飛散を抑制するとともに植物の根張りを良好にする。  しかしながら、多数の固定手段を介して保護層を防根層表面に保護層を能率的に張設することは困難な作業であり、生産コスト増大の要因となっている。
なお、本願発明に関する文献としてつぎのようなものが存在する。
【特許文献１】特開平１１−３１８２１０号公報
【特許文献２】特開平１１−３１８２０５号公報
【特許文献３】特開２００１−８５４６号公報
【特許文献４】特開２００４−２９８１４６号公報
【特許文献５】特開２００５−１１８１０４号公報
【特許文献６】特開平１１−３２５７８号公報
【発明の開示】
【発明が解決しようとする課題】
【０００９】
本願発明は、屋上等の下地上に形成する植栽装置において、水分を植物の根部に供給するとともに積層される土壌を把持するための給・排水基盤と、この給・排水基盤の下地へ固定をなすとともに土壌層の土壌の揺動防止、防風ネット等の係止、植物の根張り促進等のために防根層に固定される多機能突起体を具えるとともに、多数の前記多機能突起体と給・排水基盤その他との係合を容易にしてコストが低廉で植物育成機能に優れた植栽装置の提供を目的とするものである。
【課題を解決するための手段】
【００１０】
本願発明は、建造物の屋上、屋根等に形成される植栽装置を、下地に設けられる防水層と、植物根の防水層への侵出を防止するために前記防水層上に形成される防根層と、この防根層の上に形成される保水・保護シートと、保水・保護シート上に設置され保持した水分を植物の根部に供給するとともに積層される土壌を把持するための給・排水基盤と、この給・排水基盤の下地へ固定をなすとともに、土壌層の土壌の揺動防止、防風ネット等の係止、植物の根張り促進等のために防根層に固定される多機能突起体とを具えてなり、保水・保護シートと多機能突起体との係合は保水・保護シートに形成したスリットに通した多機能突起体を介してなされ、給・排水基盤と保水・保護シートとの係合は給・排水基盤の底面に形成した孔部を介してなすように構成して、上記従来の課題を解決しようとするものである。
【００１１】
また、上記の植栽装置において、前記給・排水基盤は保水部と排水部とを有し、前記排水部は、縦横に交叉連通して形成される通直管により構成され、前記保水部は各通直管により囲繞されて形成される凹部空間により構成することがある。
【００１２】
さらに、上記の植栽装置において、客土層に大気を循環させるための通気機構を設け、この通気機構を前記多機能突起体の頂部に形成した透孔と、排水部に形成した貫通小孔とで構成し、大気が前記中空体、前記排水部客土層を介して循環可能に構成することがある。
【００１３】
さらにまた、上記いずれか記載の植栽装置において、多機能突起体は上底面を有し下底面は開口する中空体により構成するとともに、前記中空体は基部とこれに着脱可能な頂部を具えて、前記頂部の着脱により中空体の高さ調整を自在になし得るようになすことがある。
【００１４】
また、上記いずれか記載の植栽装置において、保水・保護シートに形成したスリット位置に対応するように多機能突起体を防根層上に設置するようになすことがある。
【００１５】
さらに、上記の植栽装置において、保水・保護シートに形成するスリットは所定点を中心に放射状に形成することがある。
【００１６】
またさらに、上記いずれか記載の植栽において、給・排水基盤の底面に形成した孔部は円形、楕円形、四角形、三角形のいずれかで形成し、保水・保護シートは天然繊維、合成繊維の織布、不織布、編布又は高分子吸収材、アスファルトルーフィング材のうちの１種又は数種で形成することがある。
【００１７】
本願発明はまた、  次の工程からなる植栽装置の構築方法を提供する。
（イ）建造物の屋上、屋根等の下地の防水層又はその上に形成される防根層の上に土壌層が積層される給・排水基盤の下地への固定をなすとともに土壌層の土壌の揺動防止、防風ネット等の係止、植物の根張り促進等のための多機能突起体を固定する工程、
（ロ）保水・保護シートにスリットを形成し、このスリットを介して前記多機能突起体に保水・保護シートを被着して防水層又はその上に形成される防根層の上に保水・保護シートを接合する工程
（ハ）底部に形成した孔部を介して給・排水基盤を多機能突起体に被着するとともに保水・保護シートを介して下地の防水層又はその上に形成される防根層の上に設置する工程、
（ニ）次いで、給・排水基盤の上に植物を植生する土壌層を形成する工程。
【発明の効果】
【００１８】
以上のような構成により、風対策に優れ、土壌層を薄く形成できながら植物の適正な生育が可能な植栽装置を効率よく低廉なコストで構築できる。
【発明を実施するための最良の形態】
【００１９】
本願発明に係る植栽装置は、下地に設けられる防水層と、植物根の防水層への侵出を防止するために前記防水層上に形成される防根層と、この防根層の上に形成される保水・保護シートと、保水・保護シート上に設置され保持した水分を植物の根部に供給するとともに積層される土壌を把持するための給・排水基盤と、この給・排水基盤の下地へ固定をなすとともに土壌層の土壌の揺動防止、防風ネット等の係止、植物の根張り促進等のために防根層に固定される多機能突起体とを具えている。
【００２０】
保水・保護シートは、防根層と土壌層との間に介装され防根層の保護機能のみでなく緩衝層としての機能をも有する意味で、繊維、ゴム、アスファルトルーフィング等を使用できるが、保水の見地からは繊維、不織布、アスファルトルーフィング材等が好ましい。
【００２１】
保水・保護シートと多機能突起体との係合は保水・保護シートに形成したスリットを介してなされ、給・排水基盤と保水・保護シートとの係合は給・排水基盤の底面に形成した孔部を介してなされるように構成する。
【００２２】
給・排水基盤は、樹脂材に複数の凹部、凸部を連続して一体に形成したもので構成する。  多機能突起体は、樹脂材で形成され断面が台形状の中空体で構成し、この中空体は防根層上の定位置に多数固着する。  保水・保護シートに前記多機能突起体の位置に対応する位置にスリットを形成しておいてこのスリットを介して保水・保護シートを多機能突起体に被着しつつ防根層上に固着する。そして、給・排水基盤にも多機能突起体の位置に対応する位置に孔部を形成しておいて、この孔部を介して給・排水基盤を多機能突起体に被冠しつつ保水・保護シート上に固着する。
【００２３】
多機能突起体は防根層上の所定位置に複数形成し、この設置位置に対応して保水・保護シートにスリットを、また給・排水基盤には孔部を形成しておいて、これらのスリット、孔部を多機能突起体に被せるようにして保水・保護シート、給・排水基盤を防根層上に敷設していく。
【００２４】
保水・保護シートに形成するスリットの形状は特に限定されないが、所定点を中心に放射状に形成されたものを用いれば多機能突起体を通し易い。  また、給・排水基盤に形成する孔部の形状も円形、楕円形、三角形、四角形等が可能であるが、三角形が加工効率等から好ましい。
【００２５】
さらに、多機能突起体は棒状体の物でも良いが、好ましくは前述のように断面が台形状を有する中空円錐台をなすものを使用する。  防根層上に固着された多機能体としての複数の円錐台は保水・保護シート、給・排水基盤上に突出して土壌層中に散在する状態とする。  このようにして、円錐台の上端は土壌層の上方に臨んで、その上端には例えば防風ネットが係止され、また、円錐台が土壌層中に散在することにより土壌層の土壌の動揺を防止して風による飛散を抑制するとともに植物の根張りを良好にする。  風対策としては多機能突起体を棒状のもので構成するより円錐台で構成するほうが効果的である。
【００２６】
防根シートは、各種の樹脂フィルムで形成され、裏面には粘着層を有して建造物の防水層等への貼付を強固かつ容易になし得るようになっている。  フィルムを構成する樹脂としてはポリエチレンテレフタレート（ＰＥＴ）、ポリエチレン、ポリプロピレン、ナイロン、塩ビ等が好適である。
【００２７】
樹脂フィルムは植物根の侵出を遮断するために所定の強度を有することが不可欠であるが、施工性、運搬性、経済性等を考慮すればできるだけ薄いものが好ましい。  本願発明者らは、実験結果の分析により、前記要求性能を具備するに必要十分なフィルム厚さを見出した。  これによれば、ポリエチレンテレフタレート（ＰＥＴ）では、厚さ75ミクロン前後、ポリエチレンでは厚さ300ミクロン前後、ポリプロピレンでは厚さ100ミクロン前後が、好ましいことが判明した。
【００２８】
防根シートは、防水層上に貼付され、この上には保護層を介して植物土壌層が形成されて植物根の防水層等への侵出を防止するようになっている。  そして、防根シートの貼付に際しては隣接する部分を重ね合わせることになるが、この重ねあわせ部分の粘着層から植物根が侵入する可能性が生じる。しかし、一般に植物根の先端部の径は40ミクロンないし50ミクロンである。  このため、樹脂フィルムの裏面の粘着材層の厚さを30ミクロン程度に設定すれば、樹脂フィルムの重ね合わせ部の粘着層からの侵入は防止できることになる。
【００２９】
樹脂フィルムは、経済性、運搬性、あるいはロール状にし易い点等の見地からは薄いのが好ましい。施工性、強度の点からあまり薄いのも問題を生じる。すなわち、あまり薄いと施工に際して形態保持が難しく貼付時にしわが発生したり、フィルムが裂けたりする恐れがある。  
【００３０】
そこで、この樹脂フィルムの裏面とここに形成される粘着層との間に補強材を介装する。この補強材は不織布および／または樹脂材および／またはゴム材および／またはアスファルト材で構成する。
【００３１】
前記防根層を構成する樹脂フィルムの表面には膜面を形成して、接着性、耐候性、強度を向上させるようにする。  樹脂フィルムの表面は、樹脂の性質上、未処理面には接着剤が作用し難く、このためフィルム表面に塗料による膜面を形成して接着性を付与して、種々の場面で接着剤を有効に使用できるようにする。
また、防根シートは通常はその上部に植物栽培層等が設置され外気、紫外線から遮蔽されるが、場合によっては一部が露出されることもあり、さらには施工現場に敷設までの一定期間集積の必要があったたり、敷設されて表面を露出した状態で一定期間放置せざるを得ないこともあるから、耐候性の付与は不可欠とも言える。  また、表面に塗料による膜面を形成することでフィルム強度が増し、施工作業も容易になる。前記膜面を形成する塗料としてはフッ素系樹脂もしくはアクリルシリコン系樹脂あるいはウレタン系樹脂を含むものが好適である。すなわち、膜面をフッ素樹脂もしくはアクリルシリコン系樹脂により耐候性が、またウレタン系樹脂により形成して接着性が付与される。
【００３２】
しかし、樹脂フィルムを広く敷設する場合その重なり部あるいは樹脂はフィルム相互の突合せ部には、
植物根の押圧力その他種々の力が作用するから、これらの部分を補強することが好ましい。このため、防根層における樹脂フィルムの重なり部あるいは樹脂はフィルム相互の突合せ部には裏面に粘着層を有して、植物の根の侵出を防止できる強度を具えた被覆テープを貼付し、重なり部あるいは樹脂はフィルム相互の突合せ部の強度を補強する。該被覆テープのとなる樹脂テープで被覆し重なり部の強度を補強する。しかし、樹脂テープの粘着層の厚さによっては、そこから植物根の先端が侵入するから、粘着層の厚さを植物根の侵出先端径より小とすること、現実には、粘着層の厚さを30ミクロン程度に設定することが必要である。この被覆テープには、植物根の樹脂フィルムの重なり部への衝突を回避させ、重なり部の上方へ指向させる意味合いもあるから、樹脂フィルムより若干薄いものが望ましく、樹脂は前記樹脂フィルムと同様のもので形成する。  なお、樹脂フィルムの粘着層の厚さが植物根の侵出先端径より小さく形成されている場合は、必ずしも前記被覆テープは必要ではないが、被覆テープの使用により植物根の侵出防止機能はより強化されることになる。
【００３３】
前記防根シートは、屋上緑化に限らず、人工栽培装置その他広く防根が必要な場合の防根構造に使用することができる。  すなわち、この種の防根層構造は、植物が植立される土壌層（植立層、植物栽培層）の施工面に設けられて、植物の根の侵出を防止できる強度を有して前記施工面に貼付される樹脂フィルムと、この樹脂フィルムの裏面に形成される粘着層とで構成される。
【００３４】
樹脂フィルムの重なり部には、当然植物根が当接し、その押圧力は強いから、植物根が重なり部に係合しないように、なるべく樹脂フィルムの厚さを薄く必要ある。あまり、薄くすると防根のための強度が不足することになる。したがって、薄さへの要求と強度のバランスを図る必要がある。  本願発明では、各種樹脂フィルムにより、実験によりその厚さの臨界値を具体的に設定したことは前述のとおりである。
【００３５】
しかし、樹脂フィルムの重なり部には、植物根の押圧力その他種々の力が作用するから、この部分を
補強することが好ましい。このため、防根層における樹脂フィルムの重なり部は裏面に粘着層を有する樹脂テープで被覆し重なり部の強度を補強する。しかし、樹脂テープの粘着層の厚さによっては、そこから植物根の先端が侵入するから、粘着層の厚さを30ミクロン程度に設定することが必要である。この樹脂テープには、植物根の樹脂フィルムの重なり部への衝突を回避させ、重なり部の上方へ指向させる意味合いもあるから、樹脂フィルムより若干薄いものが望ましく、樹脂は前記樹脂フィルムと同様のもので形成する。
【実施例】
【００３６】
以下、本願発明の１実施例を図面に基づいて説明する。
図１は、当該実施例に係る植栽装置の一部断面図である。図において、Ａは建造物の屋上のコンクリートスラブ面に貼着される防水層であり、この防水層Ａの上面には、植物の毛根等の防水層への進出を防止するための樹脂製の防根層Ｂが張設されている。  また、防根層Ｂ上には保水・保護シートＰが貼付されている。  
【００３７】
Ｃは、保水給排水手段としての樹脂または金属製の給・排水基盤で、全面にわたり保水部１と排水部２とが複数一体に形成されている。給・排水基盤Ｃの上部には種々の植物等が植立される客土層Ｄがその表面に防風ネットＥを有して積層設置されている。
【００３８】
防根層Ｂ上にはアスファルトルーフィング材による保水・保護シートＰならびに給・排水基盤Ｃを貫通して中空の円錐台形状の多機能突起体３が固着されている。この円錐台形状の多機能突起体３は、土壌Ｄ中に複数散在して設置され、その上端面は土壌表面に露出していて、そこに防風ネットＥが係止されるようになっている。保水・保護シートＰ（アスファルトルーフィング材）は、円錐台形状の多機能突起体３の防根層Ｂ表面への固着後に張設されるが、その際、アスファルトルーフィング材Ｐはその所定位置に形成されたスリット部分を通して多機能突起体３を上方に突出させるようにして張設することになる。  
【００３９】
図２は、スリットを所定箇所に形成したアスファルトルーフィング材Ｐの平面図であり、スリット１２は所定間隔（防根層Ｂ上に設置される多機能突起体３の相互の間隔に相当）で、中心孔の周囲に星型放射線状に形成されている。
【００４０】
図３は、図２に示したアスファルトルーフィング材Ｐの防根層Ｂへの張設作業を示す斜視図であり、防根層Ｂ上にブラケット３aを介して所定間隔（スリット１２に形成されるスリット１２相互の間隔に相当）で固着されている円錐台形状の中空体３の上端に、スリット１２部分に当接させて下方押し下げるようにしてアスファルトルーフィング材Ｐを防根層Ｂ上に張設していく。  このようにして、アスファルトルーフィング材Ｐの張設は効率よくなすことができる。
【００４１】
図４は、アスファルトルーフィング材Ｐに形成するスリットの他の実施例を示す平面図である。  図４（a）は、スリット１２は中心点から放射状に形成されている例を示している。  また、図４（ｂ）は、径を中心孔を中空体３の底部近傍の径に等しくし、かつ中心孔の周囲に切り込みを形成したスリット１２を示している。スリット１２をこのように構成することでアスファルトルーフィング材Ｐの中空体３への被着嵌合はより円滑になる。  なお、この例では、中心孔の周囲に切り込みを入れたが、中心孔の径を中空体３の底部外周より大きく形成すれば、周囲の切り込みは必ずしも必要ではない。
【００４２】
前述のように給・排水基盤Ｃは、一体に形成される保水部１と排水部２とを複数有していて、その上方には前記防風ネットＥの係止手段としても機能する中空円錐台形状の多機能突起体３が突出している。  すなわち、この中空円錐台３は給・排水基盤Ｃの底部に形成した孔部土壌層Ｄの表面まで突出している。そして、防風ネットＥは多機能突起体３等を介して屋上スラブ面の防根層Ｂに係止されている。
【００４３】
図５に示すように、給・排水基盤Ｃの前記排水部２は、縦横に交叉連通して形成される通直管２ａにより構成され、前記保水部１は各通直管２ａにより囲繞されて形成される凹部空間により構成されている。  図６は、中空円錐台形状の多機能突起体３を示す側面図であり、前述のように、保水・保護シートＰは防根層Ｂの上に固着された多機能突起体３がスリット１２部分を貫通させて防根層Ｂに張設されるが、給・排水基盤Ｃの保水・保護シートＰ上への敷設も同様にしてなされるが、すなわち、次段で説明するように、給・排水基盤Ｃの底部に形成した孔部に多機能突起体３を貫通させて給・排水基盤Ｃを給・排水基盤Ｃの保水・保護シートＰ上へ敷設していく。
【００４４】
図６は、底部に孔部を形成した給・排水基盤Ｃの斜視図であり、孔部４が形成されていて、図７に示すように、この孔部４に多機能突起体３を貫通させて給・排水基盤Ｃが保水・保護シートＰ上へ敷設されていく。  図６に示すものでは、孔部４は方形に形成されているが、その形状はこれに限定されることなく、三角形、円形等のいずれでもよい。
【００４５】
さらに、図５、７において、通直管２ａの交差部に形成される方形突部に設けた貫通小孔と多機能突起体３の頂部形成した透孔により客土層に大気を循環させるための通気機構が構成され、大気が前記中空体、前記排水部、客土層を介して循環可能になる。  
【００４６】
なお、多機能突起体３は上底面を有し下底面は開口する断面大形状の中空体により構成するとともに、この中空体３は、図８に示すようにこれに着脱可能な頂部５を具えて、この頂部５の着脱により中空体３の高さ調整を自在になし得るように構成してもよい。
【００４７】
次に、上記構成に係る給・排水基盤を使用しての屋上面における植栽装置の構築についての一実施例を説明する。
建造物の屋上、屋根等の下地上防水層の上に防根層を貼付し、この防根層上に多機能突起体を固着する。次いで、スリットが形成された保水・保護シートをスリットを介して前記多機能突起体に被着して防根層の上に接合する。  そして、この保水・保護シート上に給・排水基盤を設置することになるが、この際多機能突起体は給・排水基盤の底部に形成される孔部から突出させるようにする。
次いで、給・排水基盤に土壌層を形成するが、土壌量は多機能突起体の頭部がやや露出する程度に盛り土する。  土壌層に植物を植栽し必要に応じて防風ネットを被せて多機能突起体の頂部に係止する。
【図面の簡単な説明】
【００４８】
【図１】本願発明に係る植栽装置の一実施例を示す一部切欠断面図である。
【図２】スリットを所定箇所に形成したアスファルトルーフィング材Ｐの平面図である。
【図３】図２に示したアスファルトルーフィング材Ｐの防根層Ｂへの張設作業を示す斜視図である。
【図４】アスファルトルーフィング材Ｐに形成するスリットの他の実施例を示す平面図である。
【図５】給・排水基盤Ｃにおいて、通直管により構成される保水部、排水部を示す一部切欠斜視図である。
【図６】底部に孔部を形成した給・排水基盤Ｃの斜視図である。
【図７】防根層上に固着した多機能突起体と給・排水基盤Ｃおよび保水・保護シートとの関連構成を示す断面図である。
【図８】断面台形状の中空体で構成した多機能突起体とその高さ調整のために被せる着脱可能な頂部とを示す断面図である。
【符号の説明】
【００４９】
Ａ．．．．．．．．防水層
Ｂ．．．．．．．．防根層
Ｃ．．．．．．．．給・排水基盤
Ｐ．．．．．．．．保水・保護シート
Ｄ．．．．．．．．土壌層
Ｅ．．．．．．．．防風ネット
１．．．．．．．．．保水部
２．．．．．．．．．排水
３．．．．．．．．．多機能突起体（中空体）
１２．．．．．．．スリット